(57)【特許請求の範囲】
【請求項１】
回路交換形式の接続(L5)及びパケット交換形式の接続(L3,L7)をサポートする移動通信システム内で移動ステーション(MS)に関連した位置サービス情報を形成する方法であって、
ゲートウェイ移動位置センター(GMLC)は要求を発しているエンティティから要求を受信し(20,301)、
上記ゲートウェイ移動位置センター(GMLC)はサービス移動位置センター(SMLC)によって若しくはこれを経て上記移動ステーション(MS)に関連した上記位置サービス情報を検索し(22,308)、そして
上記要求に対する応答を与える(28,311)段階を含む方法において、
上記要求が上記移動ステーションの進行中コールに関連しているかどうかに基づいて上記検索段階に対する好ましい形式の接続を決定し(21)、そして
上記検索段階において上記好ましい形式の接続を経て検索を実行する(22)、
という段階を含むことを特徴とする方法。
【請求項２】
上記検索が失敗に終わった場合に、残りの形式の接続を経て他の検索を行う(26)ことを含む請求項１に記載の方法。
【請求項３】
上記検索は失敗であるが、その失敗の理由が「サービスが許されないこと」ではない場合、及び残りの形式の接続を経ての上記他の検索が以前に不成功でなかった場合に、当該他の検索を行う請求項２に記載の方法。
【請求項４】
上記好ましい形式の接続は回路交換接続(L5)である請求項１乃至３のいずれかに記載の方法。
【請求項５】
上記パケット交換形式の接続が確立されない場合には移動ステーション(MS)に対して回路交換形式の接続を確立する請求項１乃至４のいずれかに記載の方法。
【請求項６】
上記ゲートウェイ移動位置センター(GMLC)と上記要求を発しているエンティティとの間に少なくとも１つの含蓄的なパケットデータプロトコル即ちＰＤＰコンテクスト若しくは少なくとも１つの明白なＰＤＰコンテクストを確立する請求項１乃至５のいずれかに記載の方法。
【請求項７】
ＰＤＰコンテクストを確立する上記段階は、所定のネットワーク層サービスアクセスポイント識別子即ちＮＳＡＰＩ値を割り当てることを含む請求項６に記載の方法。
【請求項８】
上記要求を発しているエンティティはサポートノード(SGSN)であり、上記少なくとも１つの含蓄的なＰＤＰコンテクストは移動ステーション(MS)とサポートノード(SGSN)との間に確立される請求項６又は７に記載の方法。
【請求項９】
上記要求を発しているエンティティはサポートノード(SGSN)であり、上記少なくとも１つの含蓄的なＰＤＰコンテクストは、サポートノード(SGSN)と、移動ステーションに現在サービスしているサービス移動位置センター(SMLC)との間に確立される請求項６又は７に記載の方法。
【請求項１０】
上記要求を発しているエンティティはサポートノード(SGSN)であり、上記少なくとも１つの明白なＰＤＰコンテクストが、サポートノード(SGSN)と、移動ステーションに現在サービスしているサービス移動位置センター(SMLC)との間に確立される請求項６又は７のいずれかに記載の方法。
【請求項１１】
上記要求(301)は、ゲートウェイ移動位置センター(GMLC)により受信され、これは、移動サービス交換センター(VMSC)を経て上記位置サービス情報を検索し、次いで、該移動サービス交換センターは、サービス移動位置センター(SMLC)を経て上記位置サービス情報を検索し、これは、
上記移動ステーションに対して回路交換接続が確立された場合には、直接的に(307a)、さもなくば、
サービスＧＰＲＳサポートノード(SGSN)を経て間接的に、
行われる請求項１ないし１０のいずれかに記載の方法。
【請求項１２】
上記ゲートウェイ移動位置センター(GMLC)は、上記サービスＧＰＲＳサポートノード(SGSN)のアドレスを上記移動サービス交換センター(VMSC)に送信する請求項１１に記載の方法。
【請求項１３】
回路交換通信及びパケット交換通信をサポートする移動通信システム内で移動ステーション(MS)に関連した位置サービス情報をサポートするための装置(GMLC,VMSC)であって、
要求を発しているエンティティから要求を受信し(20,301)、サービス移動位置センター(SMLC)によって若しくはこれを経て上記要求に対する応答を与える(28,311) ゲートウェイ移動位置センター(GMLC)と、
上記移動ステーション(MS)に関連した上記位置サービス情報を検索する(22,308) 上記サービス移動位置センター(SMLC)とを備え、
上記要求が上記移動ステーションの進行中コールに関連しているかどうかに基づいて上記検索段階に対する好ましい形式の接続を決定し(21)、そして
上記好ましい形式の接続を経て検索を実行する(22)、
ように構成されたことを特徴とする装置(GMLC,VMSC)。
【発明の詳細な説明】
【０００１】
【技術分野】
本発明は、パケット無線ネットワークを含むテレコミュニケーションシステム内で位置サービスを与えそして位置情報のためのベアラとしてパケット無線ネットワークを使用する方法及び装置に係る。移動通信システムは、公衆地上ベース移動ネットワークＰＬＭＮ内の任意の位置から通信するための手段を移動ユーザに与える。最初、移動通信システムは、有線通信システムとほぼ同じサービス、即ち音声コール、データコール及びファックスコールを提供していた。移動ユーザの絶えず変化する位置は、有線の通信システムで供給できない有用な情報断片以上に必要悪と見られていた。近代的な展望として、ユーザの位置を充分に活用することにより、移動通信システムは、有線の通信システムに勝る競争力のある効果を得ることができる。この情報は、ユーザの位置に基づくある付加価値サービスをカスタマイズするのに使用できる。このような位置特有の付加価値サービスは、天気予報、娯楽番組、予定表、ナビゲーション及び非常時の移動ユーザの探索を含む。更に、ユーザの位置は、法律施行目的でも使用できる。
【０００２】
【背景技術】
ＧＳＭ（移動通信用のグローバルシステム）のような従来のセルラー移動通信システムにおいて、移動ステーションが進行中のコールを有する場合には、移動ステーションを１つのセル内に位置決めすることができる。このような進行中のコールがない状態では、通常多数のセルより成る位置エリア内でしか位置を知ることができない。たとえ１つのセル内の位置が分かっても、ＧＳＭセルの直径が７０ｋｍもの大きさであることを考えれば、位置に関する曖昧さは依然として顕著である。より正確な位置サービスは、Ｔ１Ｐ１と称するＵＳ規格化団体で遂行されている規格化作業の主題である。移動ステーションを適度な精度で位置決めできる方法としては、多数のものが知られている。例えば、移動ステーションが一体型のＧＰＳ受信器を有し、これにより、それ自身の座標を決定してそれをネットワークに送信することができる。一体型のＧＰＳ受信器をもたない移動ステーションは、例えば、３つのベースステーションを用いて三角法で位置を決めることができる。しかしながら、位置決め手順の詳細は、本発明に関与せず、当該Ｔ１Ｐ１仕様書を参照されたい。
【０００３】
本明細書では、次の用語を使用する。「位置管理」とは、位置／ルートエリア及びセル／ネットワーク識別子に関して移動ステーションの位置を追跡するタスクを指す。従って、位置管理は、移動通信システムにおいて実行され、コールを移動加入者にルート指定するための必要なタスクである。これに対して、「位置サービス（ＬＣＳ）」は、地理座標に関して移動ステーションの位置を追跡するタスクを指す。このタスクは、コールをルート指定するのに必要ではない。むしろ、これは、付加価値サービスであるか、又は付加価値サービスを発生するのに使用することができる。
【０００４】
公知の位置サービスシステムに伴う問題は、パケット無線加入者が完全に無視されることである。ＧＰＲＳ（汎用パケット無線サービス）のようなパケット無線ネットワーク対する契約しかもたない移動加入者を位置決めする方法は知られていない。粗野な解決策は、パケット交換ネットワークに対して個別の位置サービスを実施することであるが、これでは、多数のネットワーク要素が重複することになる。回路交換ネットワークの位置サービスをパケット交換ネットワークにも使用できるようなシグナリング規定は知られていない。
【０００５】
【発明の開示】
本発明の目的は、ＧＰＲＳのようなパケット無線ネットワークに対する位置サービスを実施するメカニズムを提供することである。別の目的は、既存の機能に不必要に重複せず及び／又はシグナリングオーバーヘッドを増加しないやり方で位置サービスを実施することである。本発明の更に別の目的は、ＧＳＭのような回路交換ネットワークにおける位置サービスに対してパケットベースのベアラを与えることである。これらの目的は、独立請求項に記載した方法及び装置により達成される。本発明の好ましい実施形態は、従属請求項に記載する。
【０００６】
本発明の第１の特徴によれば、第１形式（例えば、回路交換）の接続及び第２形式（例えば、パケット交換）の接続をサポートする移動通信システム内で移動ステーションに関連した位置サービス情報を形成する方法であって、１）要求を発しているエンティティから要求を受信し、２）移動ステーションに関連した位置サービス情報を検索し、そして３）要求に対する応答を与える段階を含む方法が提供される。本発明による方法は、４）第１組の所定基準に基づいて検索段階に対する好ましい形式の接続を決定し、そして５）検索段階において好ましい形式の接続を経て少なくとも第１の試みを実行するという段階を含むことを特徴とする。
好ましくは、上記第１組の所定の基準は、移動ステーションが上記形式の接続の少なくとも１つを経てアクティブな接続を現在有するかどうかチェックすることを含む。このチェックは、要求を発しているエンティティからの要求を検査することに基づく。
【０００７】
第１の試みが失敗に終わった場合に、第２組の所定の基準がその失敗の理由を含み、そして上記検索段階は、その第２組の所定の基準を満足するのに応答して残りの形式の接続を経て第２の試みを行うことを含む。好ましくは、第２組の所定の基準は、第１の試みは失敗であるが、その失敗の理由が「許可されないサービス」ではない場合、及び残りの形式の接続を経ての上記第２の試みが以前に不成功でなかった場合に満足される。
移動ステーションが進行中のコールを有する場合には、好ましい形式の接続は回路交換接続であり、さもなくば、パケット交換接続である。上記方法は、パケット交換通信が確立されない場合には、移動ステーションに対して回路交換通信を確立することを含む。
【０００８】
或いは又、上記方法は、少なくとも１つの含蓄的なパケットデータプロトコル即ちＰＤＰコンテクストを確立することを含む。ＰＤＰコンテクストの確立は、所定のネットワーク層サービスアクセスポイント識別子即ちＮＳＡＰＩ値を割り当てることを含む。含蓄的なＰＤＰコンテクストは、移動ステーションとサポートノードとの間、及び／又はサポートノードと、移動ステーションに現在サービスしているサービス移動位置センターとの間に確立される。後者のＰＤＰコンテクストは、明白なコンテクストであってもよい。
含蓄的なＰＤＰコンテクストを確立する考え方は、位置サービス以外の目的で個別に使用できることにも注意されたい。
【０００９】
上述した判断実行段階のほとんどは、ゲートウェイ移動位置センターＧＭＬＳ（ＨＬＲ及び／又はＶＭＳＣのような他のネットワーク要素によって任意に助成される）によって実行されるのが好ましい。というのは、全てのＬＣＳ問合せがＧＭＬＣを経てルート指定されるからである。現在のＴ１Ｐ１仕様によれば、各ＰＬＭＮにＧＭＬＣがある。その結果、本発明の第２の特徴によれば、ＧＭＬＣは、本発明の第１の特徴による方法を実施するように適応される。
【００１０】
【発明を実施するための最良の形態】
以下、添付図面を参照して、本発明の好ましい実施形態を詳細に説明する。
図１は、本発明の好ましい実施形態を示すブロック図である。本発明は、実質的に当該ＥＴＳＩ推奨勧告に基づくＧＳＭ及びＧＰＲＳ（汎用パケット無線サービス）に関連して説明する。しかしながら、ＧＳＭ及びＧＰＲＳシステムは、説明上選択されたものに過ぎず、本発明は、回路交換及びパケット交換接続をサポートするいかなるテレコミュニケーションシステムにも適用できることを理解されたい。
【００１１】
移動位置センターＭＬＣ、即ちゲートウェイ移動位置センターＧＭＬＣ及びサービス移動位置センターＳＭＬＣはさておき、残りのブロックは、公知のＧＳＭ及びＧＰＲＳシステムで知られたものである。ＭＬＣは、移動装置及び／又は加入者に関連した位置サービスを実行する。ＭＳは、通常は、移動電話であるが、標準エアインターフェイスを使用するいかなるエンティティでもよく、例えば、エアインターフェイスを経てネットワークに接続された測定ユニットでもよい。図１に示すシステムは、次のようなインターフェイスと共に実施される。Ｌ１インターフェイス（ＶＭＳＣ／ＳＧＳＮ）は、ＳＳ７又はＩＰを経てのＭＡＰインターフェイスであるか、或いはＧＰＲＳのＧｓインターフェイスである。Ｌ２インターフェイス（ＳＧＳＮ／ＳＭＬＣ）及びＬ７インターフェイス（ＳＧＳＮ／ＧＭＬＣ）は、ＳＳ７又はＩＰを経てのＭＡＰインターフェイスであるか、或いはＧＰＲＳのＧｎインターフェイスである。Ｌ３インターフェイス（ＳＧＳＮ／ホームＧＭＬＣ）は、ＳＳ７又はＩＰを経てのＭＡＰインターフェイスであるか、或いはＧＰＲＳのＧｐインターフェイスである。Ｌ４インターフェイス（ＭＳＣ／ＳＭＬＣ）、Ｌ５インターフェイス（ＧＭＬＣ／ＶＭＳＣ）及びＬ６インターフェイス（ＨＬＲ／ＧＭＬＣ）は、ＳＳ７又はＩＰを経てのＭＡＰインターフェイスである。Ｌ３、Ｌ５及びＬ７インターフェイスのプロトコル及びプロトコルメッセージは、同じであるのが好ましく、例えば、同じＭＡＰインターフェイス及びメッセージである。
【００１２】
図２は、ゲートウェイ移動位置センターＧＭＬＣの観点から本発明の一般的な概念を示したフローチャートである。ステップ２０において、ＧＭＬＣは、要求を発しているエンティティ／アプリケーションからＬＣＳ要求を受信する。ステップ２１において、ＧＭＬＣは、好ましい接続形式（回路交換又はパケット交換）を決定し、そしてステップ２２において、好ましい形式の接続（例えば、回路交換）を経て第１の試みを行う。ステップ２３において、ＧＭＬＣは、第１の試みが成功であったかどうかテストし、もしそうであれば、ステップ２８において、ステップ２０で最初の要求を送信したエンティティ／アプリケーションに応答を送信する。第１の試みが失敗であった場合には、ＧＭＬＣは、ステップ２４において、その失敗が防止制約（即ち、サービスが許されない）によるものであるかどうかチェックする。失敗が防止制約によるものである場合には、残りの形式の接続（例えば、パケット交換）を試みるポイントはなく、ステップ２９において、要求を発しているエンティティに失敗が指示される。残りの形式の接続が既に試みられたかどうかテストするステップ２５についても、同じことが言える。さもなくば、ステップ２６において、残りの形式の接続を経て第２の試みがなされる。ステップ２７では、ＧＭＬＣは、第２の試みが成功したかどうか決定し、もしそうであれば、ステップ２８において、ステップ２０で要求を送信したエンティティ／アプリケーションに応答を送信する。さもなくば、ステップ２９において、失敗を指示する。
【００１３】
図３Ａないし３Ｃは、図１に示すシステムにおける３つの異なる筋書きを示すシグナリング図である。システムは、一般的な位置計算のためのＳＭＬＣ要素と、本発明によるＧＭＬＣ要素とを備えている。ステップ３０１において、外部ＬＣＳアプリケーション／エンティティは、ＧＭＬＣからＬＣＳサービスを要求する。ＧＭＬＣは、ＬＣＳアプリケーションの認識、及び要求されたＬＣＳサービスに対するその契約を照合する。又、ＧＭＬＣは、位置決めされるべきＭＳの識別子（例えば、ＭＳＩＳＤＮ）及びＬＣＳ  ＱｏＳを、契約データ、又は要求を発しているアプリケーションにより供給されるデータから導出する。ステップ３０２において、ＧＭＬＣは、ＭＳ加入者がＧＳＭ加入者であるかどうか、即ちＭＳに対してＶＭＳＣ及び／又はＳＧＳＮアドレスがあるかどうかチェックする。ＧＭＬＣは、位置決めされるべきＭＳのＨＬＲにＭＡＰ＿ＳＥＮＤ＿ＲＯＵＴＩＮＧ＿ＩＮＦＯ＿ＬＣＳメッセージを送信する。このメッセージは、ＳＣＣＰ層の被呼者アドレスにおけるＭＳＩＳＤＮ番号を用いてＨＰＬＭＮのＨＬＲへルート指定される。ＧＭＬＣが、特定のＭＳＩＳＤＮに対するＩＭＳＩ及びＶＭＳＣの位置を既に知っている（例えば、ＧＭＬＣが以前の位置要求からの結果をキャッシュ型メモリに記憶している）場合には、ステップ３０２及び３０３をスキップすることができる。又、ＧＭＬＣがユーザに対するＳＧＳＮアドレスを記憶しており、そして最後の問合せにおいてＨＬＲにＶＭＳＣアドレスがなかった場合には、ＧＭＬＣは、ＳＧＳＮアドレスを再使用し、そしてステップ３０２及び３０３をスキップすることができる。しかしながら、たとえＶＭＳＣ及びＳＧＳＮアドレスが特定のユーザに対してＧＭＬＣに存在しても、ＧＭＬＣは、それが最新の情報を有することを確かめるためにステップ３０２及び３０３を実行してもよい。（換言すれば、ＧＭＬＣがキャッシュに情報を記憶する場合には、情報が最大寿命を有するのが好ましい。）ステップ３０３において、ＨＬＲは、ＳＣＣＰ発呼者アドレスに含まれたＧＭＬＣのＥ．１６４アドレスが、ＭＳ位置情報を要求することが許可された既知のＧＳＭネットワーク要素に対応することを照合する。次いで、ＨＬＲは、特定のＭＳに対するＩＭＳＩ、並びにもし得られるならば、現在ＶＭＳＣアドレス及び現在ＳＧＳＮアドレスを返送する。
【００１４】
ステップ３０５から始めて、３つの筋書きは互いに異なる。ＧＭＬＣが移動ステーションにサービスするＶＭＳＣのアドレスを知っている場合には、ステップ３０５ａにおいて、ＧＭＬＣは、ＨＬＲによって指示されたＶＭＳＣにＭＡＰ＿ＰＲＯＶＩＤＥ＿ＳＵＢＳＣＲＩＢＥＲ＿ＬＯＣＡＴＩＯＮメッセージを送信する。ＶＭＳＣアドレスが得られない場合には、ステップ３０５ｃにおいて、ＨＬＲにより指示されたＳＧＳＮアドレスにメッセージが送信される。このメッセージは、ＭＳ加入者のＩＭＳＩ、ＬＣＳのＱｏＳ情報（例えば、精度、応答時間、好ましい／必要とされる位置決め方法）、ＬＣＳアプリケーションがオーバーライド機能を有するかどうかの指示、及びもし得られれば、現在ＳＧＳＮアドレスを搬送する。
【００１５】
ステップ３０５ａのメッセージがＶＭＳＣに送信されていた場合には、ＶＬＲのＭＳユーザ契約プロファイルにおける考えられるＬＣＳ防止制約を照合する。（この場合、ＶＭＳＣに送信されたＰＲＯＶＩＤＥ＿ＳＵＢＳＣＲＩＢＥＲ＿ＬＯＣＡＴＩＯＮメッセージは、ステップ３０５ｂが行われる場合にこのステップに使用されるＳＧＳＮアドレスを含まねばならない。）さもなくば、ＳＧＳＮがこれらのチェック機能を遂行することができる。ＬＣＳが防止されそして同じ国のＬＣＳアプリケーションがオーバーライド機能を有していない場合には、ＧＭＬＣにエラー応答が返送される。ＭＳがＧＳＭアクティブモードにある（例えば、進行中のコールがある）場合には、ステップ３０７ａにおいて、ＶＭＳＣは、それに関連したＳＭＬＣにＭＡＰ＿ＰＥＲＦＯＲＭ＿ＬＯＣＡＴＩＯＮ＿ＳＥＲＶＩＣＥメッセージを送信する。進行中コールのシグナリングチャンネルは、ＳＭＬＣとＭＳとの間のメッセージ交換に使用される。ＭＳがＧＳＭアイドルモードにある場合には、ステップ３０５ｂにおいて、ＶＭＳＣは、ＧＭＬＣからそれが受信したＭＡＰ＿ＰＲＯＶＩＤＥ＿ＳＵＢＳＣＲＩＢＥＲ＿ＬＯＣＡＴＩＯＮメッセージをＳＧＳＮに中継し、即ちＧＭＬＣから受信したアドレスに中継する。このアドレスは、一方ではＶＭＳＣとＳＧＳＮとの間でそして他方ではＧＭＬＣとＳＧＳＮとの間で使用されるプロトコルに基づいてＩＰアドレス又はＳＳ７番号である。このようなＳＧＳＮアドレスが存在しないか又は得られない場合、或いはステップ３０９ｂの後に、加入者が未知であることをＳＧＳＮが指示する場合には、ＶＭＳＣは、位置決めの目的で回路交換サービスによりチャンネルを確立し、そしてステップ３０７ａ−３１０ａが実行される。これらのステップが失敗に終わると、ＧＭＬＣは、パケット交換及び回路交換の両サービスにより、ＬＣＳが失敗であったことが通知される。ＳＧＳＮがＶＭＳＣから位置要求メッセージを受信する場合には、ステップ３０７ｂにおいて、ＭＡＰ＿ＰＥＲＦＯＲＭ＿ＬＯＣＡＴＩＯＮ＿ＳＥＲＶＩＣＥメッセージをそれに関連したＳＭＬＣに送信する。ＳＭＬＣ情報は、ＳＧＳＮにおいて前もって構成されねばならない。ＭＳがＭＳＣ／ＶＬＲにおいて未知である場合には、このことがエラーメッセージにおいてＧＭＬＣに指示される。次いで、ＳＧＳＮアドレスもステップ３０３で与えられた場合には、ＧＭＬＣは、ＳＧＳＮを経てＭＳを位置決めしようと試みる（そしてステップ３０５ｃに続く）。ＭＳに対してＶＭＳＣアドレスがない場合には、ステップ３０５ｃにおいて、ＭＡＰ＿ＰＲＯＶＩＤＥ＿ＳＵＢＳＣＲＩＢＥＲ＿ＬＯＣＡＴＩＯＮメッセージがＳＧＳＮに直接送信される。考えられる防止及び他の制約をチェックした後、ステップ３０７ｃにおいて、ＳＧＳＮは、ＭＡＰ＿ＰＥＲＦＯＲＭ＿ＬＯＣＡＴＩＯＮ＿ＳＥＲＶＩＣＥメッセージをそれに関連したＳＭＬＣに送信する。ステップ３０８では、ＳＭＬＣにおいて又はそれを経て一般的位置計算が実行される。位置計算に関する詳細については、関連ＥＴＳＩ仕様書を参照されたい。しかしながら、この詳細は、本発明を理解する上では重要でない。
【００１６】
ステップ３０９において、ＳＭＬＣは、要求を発しているエンティティ（ステップ３０９ａではＶＭＳＣそしてステップ３０９ｂ及び３０９ｃではＳＧＳＮ）へ位置情報を返送する。ステップ３１０において、位置情報は、ＧＭＬＣに返送される。（ステップ３１０ａでは、ＶＭＳＣが位置情報をＧＭＬＣに直接返送する。ステップ３１０ｂでは、ＳＧＳＮがＶＭＳＣを経てＧＭＬＣに位置情報を返送する。ステップ３１０ｃでは、ＳＧＳＮが位置情報をＧＭＬＣに直接返送する。）最終的に、ステップ３１１において、ＧＭＬＣは、要求を発しているＬＣＳエンティティ／アプリケーションにＭＳ位置推定を返送する。ＬＣＳアプリケーションがそれを必要としない場合、ＧＭＬＣは、ＶＭＳＣにより与えられた普遍的な位置座標をあるローカル地理的システムへと先ず変換する。ＧＭＬＣは、ＶＭＳＣネットワークからのＬＣＳアプリケーション及びネットワーク間収入料金の両方に対する勘定を記録することができる。ステップ３０４及び３０６におけるテストとは別に、図３Ａの要旨は、当該ＥＴＳＩ仕様書に実質的に対応する。
【００１７】
エラー処理
ＧＭＬＣが、ＶＭＳＣ又はＳＧＳＮから、その一方又は他方が当該加入者を知らないことを指示するエラーレポートを受信する場合、或いはＧＭＬＣが意図されたノードに全く到達できずそしてＧＭＬＣが古い情報（例えば、キャッシュに記憶された情報）を使用する場合には、ＧＭＬＣは、最新のアドレス情報を得るために別のＨＬＲ質問を実行する。新たな情報を得た後に、ＧＭＬＣは、始めから動作を開始することができる。又、ＶＭＳＣに到達できない場合にも、ＧＭＬＣは、ＳＧＳＮに直接的にコンタクトするよう試みることができる。次いで、ある回数の試みの後にＶＭＳＣがＳＧＳＮに到達できないか、又はＭＳがＳＧＳＮにおいて未知である場合には、回路交換サービスを介してローカルオペレーション自体を実行することができる。このローカルオペレーションが不成功な場合には、ＶＭＳＣは、エラー応答をＧＭＬＣに返送し、そしてＳＧＳＮ及びＶＭＳＣの両方を経てローカルオペレーションが失敗したことを指示しなければならない。次いで、ＧＭＬＣは、ＳＧＳＮルートを試みない。
【００１８】
別の実施形態
ステップ３０１において、ＧＭＬＣは、ＬＣＳ要求に基づいてこの要求が進行中コールに関連しているかどうか決定することができる。この決定に対する基礎は、例えば、ＬＣＳ要求における被呼者番号のような明白なパラメータ、或いはＬＣＳ要求のソースアドレスのような含蓄的指示である。ステップ３０３において、ＳＧＳＮアドレス及びＭＳＣアドレスの両方が返送される場合には、ステップ３０４において、ＧＭＬＣが次のように動作する。
ＬＣＳが進行中コールに関連している場合に、ＧＭＬＣは、コールを取り扱うＶＭＳＣにＰＲＯＶＩＤＥ＿ＳＵＢＳＣＲ＿ＬＯＣを送信する。通常、進行中コールのシグナリングチャンネルは、ＳＭＬＣとＭＳとの間のメッセージ交換に使用される。考えられるエラーはＧＭＬＣに報告され、ＧＭＬＣは、次いで、エラーが防止（即ち「サービスが許されない」）によるものでない限り、ＳＧＳＮルートを試みなければならない。
【００１９】
ＬＣＳが進行中コールに関連していない場合には、ＧＭＬＣは、ＭＳにサービスするＳＧＳＮにＰＲＯＶＩＤＥ＿ＳＵＢＳＣＲ＿ＬＯＣメッセージを送信する。ＳＧＳＮは、図３Ｃに示すステップ３０５ｃ−３１０ｃを使用してＭＳを位置決めするように試みる。この試みが、防止以外の何らかの理由で失敗に終わった場合には、ＳＧＳＮは、エラーレポートをＧＭＬＣに返送する。次いで、ＧＭＬＣは、ＶＭＳＣルートを試みる（即ち、ＰＲＯＶＩＤＥ＿ＳＵＢＳＣＲ＿ＬＯＣメッセージをＶＭＳＣに送信する）。次いで、ＶＭＳＣは、ＶＭＳＣを経てＭＳを位置決めするように試みる（ステップ３０７ａ−３１０ａを用いて）が、ＭＳはアイドル状態にある。
【００２０】
この実施形態によれば、ステップ３０３において１つのアドレス（ＶＭＳＣ又はＳＧＳＮ）しか与えられない場合には、ＧＭＬＣがこのアドレスを試みる。アドレスがＶＭＳＣに関連している場合には、ステップ３０７ａ−３１０ａが使用され、そしてアドレスがＳＧＳＮに関連している場合には、ステップ３０７ｃ−３１０ｃが使用される。
ＭＳ−ＭＬＣ位置関連通信
本発明は、選択された位置計算方法に基づいて、ＭＳとＭＬＣとの間、並びにＳＧＳＮとＧＭＬＣとの間で情報を転送するための多数のオプションを許す。しかしながら、ＧＭＬＣ−ＳＧＳＮインターフェイスは、ＧＭＬＣ−ＶＭＳＣインターフェイスと同様であるのが好ましい。
【００２１】
当業者に明らかなように、図３Ａないし３Ｃのシグナリング図は、幾つかのルーチンステップ（ＰＤＰコンテクストアクチベーションのような）が省略されているために、若干簡単化されている。位置サービスは、移動通信システムを有線通信システムに対してより競争力のあるものにするために益々重要な役割を演じることが予想される。従って、位置サービスの目的でＰＤＰコンテクストを確立するルーチンタスクは、著しいオーバーヘッドトラフィックを生じることがある。このオーバーヘッドトラフィックを排除するために、移動ステーションＭＳとＳＧＳＮとの間に含蓄的ＰＤＰコンテクストがある。この目的のために、１つのＮＳＡＰＩ（ネットワーク層サービスアクセスポイント識別子）値を位置サービスに対して指定しそして標準化しなければならない。ＧＰＲＳサポートノードＳＧＳＮ及びＧＧＳＮにおいて、ＮＳＡＰＩは、あるＰＤＰアドレスに関連したＰＤＰコンテクストを識別する。含蓄的コンテクストの存在は、ＭＳ及びＳＧＳＮが位置要求又は応答メッセージをいつでも送信できるようにする。従って、明白なコンテクストアクチベーションは必要とされない。ＳＧＳＮは、指定のＮＳＡＰＩ値を用いて移動発信メッセージをサービスＭＬＣに送給する。同様に、移動着信メッセージは、特殊なＮＳＡＰＩ値によりいつでもＭＳに送給される。メッセージ送信のためにＭＳとＳＧＳＮとの間に無線リンクを確立する必要がある。
【００２２】
ＳＧＳＮとサービスＭＬＣとの間の通信は、多数の方法で確立することができる。含蓄的コンテクストの解決策は、これらエンティティの間でも再使用することができる。或いは又、明白なコンテクストの確立をこのインターフェイスにおいて行うこともできる（特殊なＮＳＡＰＩ値で）。この解決策の利点は、ＭＬＣが、現在追跡されている全てのユーザを知ることであると共に、ユーザが、別のＭＬＣによりサービスされる別のＳＧＳＮにハンドオーバーされる場合に、コンテクストを明白に解除できることである。更に、計算が中断され、即ち完了しない場合に、古いＳＧＳＮが、ＶＭＳＣ又はＧＭＬＣにエラーレポートを送信することにより欠陥を指示することができる。ＶＭＳＣは、このエラーレポートをＧＭＬＣに中継し、ＧＭＬＣは、新たなＳＧＳＮアドレスを得て位置プロセスを再び開始できるようにするためにＨＬＲに再び質問することができる。
更に別の態様は、ＳＧＳＮとＳＭＬＣとの間のシグナリングメッセージを規定することである。このインターフェイスは、ＳＭＬＣとＶＭＳＣとの間のインターフェイスと同じでよく、例えば、ＭＡＰインターフェイスでよい。
【００２３】
或いは又、ＭＳとＳＭＬＣとの間に従来のＰＤＰコンテクストアクチベーションを使用することもでき、この場合、ＳＭＬＣは、ＭＳに対して特殊なＧＧＳＮのように思われるものである。コンテクストアクチベーションは、ＧＰＲＳアタッチ手順に関連して自動的に実行されてもよいし、又は必要に応じてのみ実行されてもよい。このコンテクストに対して特殊なＮＳＡＰＩを割り当てることができるが、この態様では必要ない。自動コンテクストアクチベーションが行われる場合には、特殊なＡＰＮ（例えば、ＭＬＣ）が、位置コンテクストが要求されたことをＳＧＳＮに指示する。次いで、ＳＧＳＮは、このＳＧＳＮにサービスするＭＬＣにコンテクストアクチベーションを中継する（ＳＧＳＮコンフィギュレーション情報）。或いは又、ＭＬＣは、ネットワークで開始されるＰＤＰコンテクストアクチベーションを実行することを要求できる（例えば、位置コンテクストを確立する必要があることをユーザの移動ステーションに指示する特殊なＮＳＡＰＩで）。
エアインターフェイス（ＭＳ−ＳＧＳＮ）に対しそしてＳＧＳＮとＭＬＣとの間のインターフェイスに対して特殊なシグナリングメッセージを定義することができる。この場合に、ＳＧＳＮは、コンフィギュレーション情報（ＭＬＣ）及びユーザのＩＭＳＩに基づいてＭＳ及びＭＬＣにこれらのメッセージを中継する。これらのメッセージは、例えば、ＭＡＰプロトコルメッセージである。
【００２４】
以上、ＧＳＭ及びＧＰＲＳシステムに関連して本発明を説明したが、本発明は、これらの例に限定されるものではなく、請求の範囲内で種々の変更が可能である。
略語：
ＡＰＮ：アクセスポイント名
ＧＭＬＣ：ゲートウェイ移動位置センター
ＧＧＳＮ：ゲートウェイＧＰＲＳサポートノード
ＧＰＲＳ：汎用パケット無線サービス
ＧＰＳ：グローバルポジショニングシステム
ＧＳＭ：移動通信用のグローバルシステム
ＨＬＲ：ホーム位置レジスタ
ＨＰＬＭＮ：ホームＰＬＭＮ
ＬＣＳ：位置サービス
ＭＬＣ：移動位置センター
ＭＳＣ：移動サービス交換センター
ＮＳＡＰＩ：ネットワーク（層）サービスアクセスポイント識別子
ＰＬＭＮ：公衆地上ベース移動ネットワーク
ＳＡＰ：サービスアクセスポイント
ＳＣＣＰ：シグナリング接続及びコントロールパート
ＳＧＳＮ：サービスＧＰＲＳサポートノード
ＳＭＬＣ：サービス移動位置センター
ＶＬＲ：ビジター位置レジスタ
ＶＭＳＣ：ＶＬＲ＋ＭＳＣ
【００２５】
参照文献：
Ｔ１Ｐ１８ｐ１５０５８１：位置サービス（ＬＣＳ）段階０要求事項
Ｔ１Ｐ１８ｐ１５１０４５：位置サービス（ＬＣＳ）サービス説明、段階１
Ｔ１Ｐ１８ｐ１５１０５６：位置サービス（ＬＣＳ）機能説明、段階２
Ｔ１Ｐ１８ｐ１５３３５１：ＬＣＳキャリアとしてのＧＰＲＳの理由及び提案された追加
全ての参照文献は、参考としてここに援用する。
【図面の簡単な説明】
【図１】  本発明を使用できるテレコミュニケーションシステムの１つの実施形態を示すブロック図である。
【図２】  本発明の一般的な概念を示すフローチャートである。
【図３Ａ】  図１に示すシステムにおける動作を示すシグナリングである。
【図３Ｂ】  図１に示すシステムにおける動作を示すシグナリングである。
【図３Ｃ】  図１に示すシステムにおける動作を示すシグナリングである。
【図１】
0003719935.tif 000002
【図２】
0003719935.tif 000003
【図３Ａ】
0003719935.tif 000004
【図３Ｂ】
0003719935.tif 000005
【図３Ｃ】
0003719935.tif 000006